(57)【要約】【課題】パネルへのシール性を確保することが可能なコネクタを提供する。【解決手段】コネクタは、取付孔９１の周りを取り囲むようにパネル９０の板面と対向して配置される環状溝２１を有するコネクタ本体１０と、環状溝２１に挿入され、コネクタ本体１０とパネル９０とに弾性的に密着するシール部材６０とを備えている。コネクタ本体１０の環状溝２１の溝面には、姿勢矯正部２２が設けられている。シール部材６０には、環状溝２１への挿入時に、姿勢矯正部２２に当接することにより、正規の挿入姿勢に矯正されるコネクタ側シール部６４が設けられている。【選択図】図１
2016062672.tif 000002
【特許請求の範囲】
【請求項１】
パネルの取付孔に挿入されて前記パネルに取り付けられ、前記取付孔の周りを取り囲むように前記パネルの板面に対向して配置される環状溝を有するコネクタ本体と、
前記環状溝に挿入され、前記コネクタ本体と前記パネルとに弾性的に密着するシール部材とを備え、
前記コネクタ本体の前記環状溝の溝面には、姿勢矯正部が設けられ、
前記シール部材には、前記環状溝への挿入時に、前記姿勢矯正部に当接することにより、正規の挿入姿勢に矯正されるコネクタ側シール部が設けられていることを特徴とするコネクタ。
【請求項２】
前記姿勢矯正部は、前記コネクタ本体の前記環状溝の奥底面に突出して設けられ、
前記コネクタ側シール部は、割溝を介して二股に分岐した一対の脚部を有し、前記割溝に前記姿勢矯正部が進入して、前記一対の脚部が前記環状溝の周面に押し付けられるようになっていることを特徴とする請求項１記載のコネクタ。
【請求項３】
前記姿勢矯正部は、前記環状溝への挿入過程で前記割溝を次第に広げるように前記一対の脚部が摺動する一対の斜面を有していることを特徴とする請求項２記載のコネクタ。
【発明の詳細な説明】
【技術分野】
【０００１】
本発明は、コネクタに関する。
【背景技術】
【０００２】
特許文献１には、パネルに取り付けられるコネクタが開示されている。この種のコネクタは、図７に示すように、雌ハウジング２を備えている。雌ハウジング２には、図示しないパネルへの取り付け時に、パネルの板面に対向して配置されるフランジ３が設けられている。フランジ３には、環状溝４が設けられている。また、雌ハウジング２にはグロメット５が被せ付けられる。グロメット５の開口縁部には、フランジ３に嵌め込まれる嵌合部６が設けられている。嵌合部６は、環状溝４に挿入されて環状溝４の溝面に密着する突状部７を有している。雌ハウジング２がパネルに取り付けられると、嵌合部６がフランジとパネルとに弾性的に密着して液密にシールされるようになっている。
【先行技術文献】
【特許文献】
【０００３】
【特許文献１】特開２００２−２０３６３４号公報
【発明の概要】
【発明が解決しようとする課題】
【０００４】
上記の場合、突状部７が防水性を確保するためにフランジ３の環状溝４に密嵌された構造になっており、環状溝４に突状部７を挿入する際の挿入抵抗が大きくなるおそれがある。これに鑑み、図８に示すように、突状部７に割溝８を設け、この割溝８に、環状溝４に挿入される突状部７の変形部分が逃げる構造にすれば、挿入抵抗が大きくなるのを回避することができる。しかし、突状部７に割溝８が設けられると、環状溝４への挿入時に、割溝８を介して二股に分岐された一対の脚部９が歪に変形するおそれがある。図８に示すように、両脚部９が歪に変形し、嵌合部６が不正な挿入姿勢をとってしまうと、フランジ３とパネルとの間に嵌合部６が不正に傾いて挟持される等し、コネクタとパネルとの間に適正なシール性を確保することができないおそれがある。
【０００５】
本発明は上記のような事情に基づいて完成されたものであって、パネルとの間に適正なシール性を確保することが可能なコネクタを提供することを目的とする。
【課題を解決するための手段】
【０００６】
本発明のコネクタは、パネルの取付孔に挿入されて前記パネルに取り付けられ、前記取付孔の周りを取り囲むように前記パネルの板面に対向して配置される環状溝を有するコネクタ本体と、前記環状溝に挿入され、前記コネクタ本体と前記パネルとに弾性的に密着するシール部材とを備え、前記コネクタ本体の前記環状溝の溝面には、姿勢矯正部が設けられ、前記シール部材には、前記環状溝への挿入時に、前記姿勢矯正部に当接することにより、正規の挿入姿勢に矯正されるコネクタ側シール部が設けられているところに特徴を有する。
【発明の効果】
【０００７】
コネクタ側シール部が姿勢矯正部に当接することによって正規の挿入姿勢に矯正されて、歪に変形するのが防止されるため、パネルとの間に所定のシール性を確保することができる。
【図面の簡単な説明】
【０００８】
【図１】本発明の実施例のコネクタにおいて、コネクタ本体がパネルに取り付けられ、コネクタ本体とパネルとにシール部材が弾性的に密着した状態を示す断面図である。
【図２】シール部材がコネクタ本体の環状溝に挿入された状態を示す断面図である。
【図３】シール部材がコネクタ本体の環状溝に挿入された状態を示す正面図である。
【図４】コネクタ本体の断面図である。
【図５】コネクタ本体の正面図である。
【図６】シール部材の正面図である。
【図７】従来例の要部を示す拡大断面図である。
【図８】従来の変形例の要部を示す拡大断面図である。
【発明を実施するための形態】
【０００９】
本発明の好ましい形態を以下に示す。
前記姿勢矯正部は、前記コネクタ本体の前記環状溝の奥底面に突出して設けられ、前記コネクタ側シール部は、割溝を介して二股に分岐した一対の脚部を有し、前記割溝に前記姿勢矯正部が進入して、前記一対の脚部が前記環状溝の周面に押し付けられるようになっている。姿勢矯正部が割溝に進入することにより、両脚部がバランス良く拡開して環状溝の周面に適正に押し付けられる。また、この構成によれば、環状溝に挿入されるコネクタ側シール部の挿入抵抗が大きくならずに済む。
【００１０】
前記姿勢矯正部は、前記環状溝への挿入過程で前記一対の脚部が摺動することによって前記割溝を押し広げる一対の斜面を有している。これによれば、両脚部が姿勢矯正部の斜面に沿って円滑に変形させられるため、シール部材が正規の挿入姿勢に確実に至らしめられる。
【００１１】
＜実施例＞
本発明の実施例を図１〜図６によって説明する。本実施例のコネクタは、図１に示すように、車両のパネル９０に取り付けられる合成樹脂製のコネクタ本体１０と、コネクタ本体１０に装着されるシリコンゴム等のゴム製のシール部材６０とを備えている。コネクタ本体１０は、図示しない相手コネクタと嵌合可能とされている。なお、以下の説明において、前後方向についてはコネクタ本体１０が嵌合開始時に相手コネクタと対向する面側を前側とし、上下方向については図３、図５及び図６を基準とする。
【００１２】
図１に示すように、パネル９０は、平板状をなし、表裏両面（前後両面）に貫通する取付孔９１を有している。
コネクタ本体１０は、図５に示すように、全体として上下方向に縦長の形状をなし、取付孔９１に嵌合可能とされている。図４及び図５に示すように、コネクタ本体１０は、ブロック状の端子収容部１１と、端子収容部１１の前端から前方へ一回り大きくなって突出する筒状のフード部１２とからなる。端子収容部１１には、複数のキャビティ１３が前後方向に貫通して設けられている。各キャビティ１３の内壁には、撓み可能なランス１４が前方に突出して設けられている。図１に示すように、各キャビティ１３には、後方から端子金具８０が挿入される。端子金具８０は、キャビティ１３への正規挿入時に、ランス１４により弾性的に係止されてコネクタ本体１０に抜け止めされる。
【００１３】
端子金具８０は、導電性の金属板を曲げ加工等して成形され、前方に突出するタブ部８１と、タブ部８１の後方に位置してランス１４に係止される端子本体部８２と、端子本体部８２の後方に位置して電線５０及びゴム栓４０に圧着により接続されるバレル部８３とを有している。端子本体部８２がランス１４に係止された状態では、タブ部８１がフード部１２の内側に突出して配置される。
【００１４】
また、端子収容部１１には、図４及び図５に示すように、各キャビティ１３が形成される領域と隣接する位置に、図示しないサブハウジングを嵌合可能なハウジング収容部１５が設けられている。図５に示すように、ハウジング収容部１５は、上下に対をなして配置され、端子収容部１１を前後に貫通する形態になっている。
【００１５】
フード部１２の内側には、図示しないムービングプレートが前後方向に移動可能に組み込まれる。また、フード部１２には、その奥面から前方へ突出してムービングプレート及び相手コネクタの移動を案内するガイド突部１６が設けられている。また、ガイド突部１６の近傍には、ムービングプレートをフード部１２内の前後方向途中に保持する弾性保持アーム１７が設けられている。
【００１６】
図１に示すように、フード部１２の前端開口縁には、パネル９０への取り付け時にパネル９０の後面と対向して配置されるフランジ部１８が設けられている。フランジ部１８は、フード部１２の前端開口縁にて外側に突出するとともに周方向に延出する形態になっている。また、図５に示すように、フード部１２の上端面の幅方向中央部には、パネルロック部１９が設けられている。コネクタ本体１０は、パネルロック部１９が取付孔９１を通過したあとパネル９０の前面に弾性的に係止されることにより、パネルロック部１９とフランジ部１８との間に挟持された状態で、パネル９０に保持されるようになっている。
【００１７】
図４及び図５に示すように、フランジ部１８の前面には、周方向に延出する環状溝２１が設けられている。図１に示すように、コネクタ本体１０がパネル９０に取り付けられた状態では、環状溝２１が、シール部材６０を介してパネル９０の後面（対向面）に臨み、取付孔９１の周りを取り囲むように配置されるようになっている。図４に示すように、環状溝２１は、フランジ部１８の前面において、断面略Ｗ字形に凹む形態とされている。そして、環状溝２１の奥底面には、姿勢矯正部２２が前方に突出して設けられている。図５に示すように、姿勢矯正部２２は、パネルロック部１９と対応する位置を除いて、周方向に延出する突条の形態とされている。そして、図１に示すように、姿勢矯正部２２は、頂部２３に丸みのある断面三角形状をなし、前方（パネル９０側）へ向けて互いに近づくように傾斜する一対の斜面２４を有している。図１に示すように、環状溝２１の溝面は、斜面２４から周面２５にかけて断面略Ｕ字形に連なる形態になっている。
【００１８】
続いて、シール部材６０について説明する。図６に示すように、シール部材６０は、環状、詳細には四隅が丸みをおびた縦長環状をなし、フランジ部１８の環状溝２１に嵌め込まれるようにして取り付けられる。シール部材６０の前部には、径方向略中央部が前方へ突き出た形態をなすパネル側シール部６１が設けられている。図６に示すように、パネル側シール部６１は、頂部６２に丸みのついた断面三角形の突リブ状をなし、シール部材６０の全周に亘って延出する形態になっている。図１に示すように、コネクタ本体１０がパネル９０に取り付けられると、パネル側シール部６１がパネル９０の後面に弾性的に密着して圧潰されるようになっている。
【００１９】
図６に示すように、シール部材６０の後部には、パネル側シール部６１の基端に段差状の肩部６３を介して連なるコネクタ側シール部６４が設けられている。コネクタ側シール部６４は、後方に開放された断面Ｕ字形の割溝６５を介して二股に分岐された形態をなす一対の脚部６６を有している。両脚部６６及び割溝６５は、シール部材６０の全周に亘って延出する形態になっている。両脚部６６は、割溝６５の溝面６７からシール部材６０の周面６８にかけて断面略Ｕ字形に連なる形態になっている。シール部材６０が自然状態にある場合に、割溝６５の深さは、姿勢矯正部２２の突出高さよりも小さくされている。また、シール部材６０が自然状態にある場合に、割溝６５の最大溝幅（割溝６５の後端の溝幅）は、姿勢矯正部２２の最大幅（姿勢矯正部２２の基端の幅）よりも小さくされている。
【００２０】
図２に示すように、コネクタ側シール部６４は、フランジ部１８の環状溝２１に挿入され、環状溝２１の溝面に弾性的に密着して保持される。コネクタ側シール部６４が環状溝２１に正規挿入されると、割溝６５に姿勢矯正部２２が進入して、両脚部６６が拡開された状態で環状溝２１の周面２５に密着するようになっている。
【００２１】
次に、本実施例を作用を説明する。
パネル９０にコネクタ本体１０を取り付けるに際し、まず、フランジ部１８の環状溝２１にシール部材６０のコネクタ側シール部６４が挿入される。コネクタ側シール部６４の挿入過程では、コネクタ側シール部６４の割溝６５に姿勢矯正部２２が進入する。図２に示すように、両脚部６６の対向内面６９が姿勢矯正部２２の両斜面２４を摺動し、それに伴い両脚部６６が径方向に拡開変形する。こうして両脚部６６間に姿勢矯正部２２が分け入り、両脚部６６が径方向にバランス良く均等に拡開変形することにより、コネクタ側シール部６４が正規の挿入姿勢に矯正されて行く。そして、コネクタ側シール部６４が環状溝２１に正規に挿入されると、両脚部６６が姿勢矯正部２２の両斜面２４から環状溝２１の周面２５にかけてほぼ当接ないし密着した状態となる。
【００２２】
続いて、コネクタ本体１０がパネル９０の取付孔９１に挿入される。コネクタ本体１０が取付孔９１に正規に挿入されると、パネルロック部１９がパネル９０の前面に弾性的に係止され、コネクタ本体１０がパネル９０に抜け止め状態に保持される。また、コネクタ本体１０が取付孔９１に正規に挿入されると、図１に示すように、パネル側シール部６１がパネル９０の後面に弾性的に密着して圧潰され、シール部材６０がコネクタ本体１０のフランジ部１８とパネル９０との間に弾性的に挟持される。そして、パネル側シール部６１が圧潰されることにより、コネクタ側シール部６４が環状溝２１に実質的に密嵌された状態に保持される。このとき、コネクタ側シール部６４は姿勢矯正部２２によって正規の挿入姿勢に保たれている。したがって、本実施例によれば、コネクタ本体１０のフランジ部１８とパネル９０との間がシール部材６０を介して確実にシールされた状態となる。その後、図示しない相手コネクタがコネクタ本体１０のフード部１２に嵌合される。なお、コネクタ本体１０は、相手コネクタと嵌合された後、パネル９０に取り付けられる構成であってもよい。
【００２３】
以上説明したように、本実施例によれば、コネクタ側シール部６４が環状溝２１に挿入されることにより、コネクタ側シール部６４が姿勢矯正部２２に当接して正規の挿入姿勢に矯正されるため、コネクタとパネル９０との間に所定のシール性を確保することができる。
【００２４】
また、姿勢矯正部２２が割溝６５に進入することにより、両脚部６６が歪に変形することなく環状溝２１の周面２５に適正に押し付けられて密着可能となるため、環状溝２１に挿入されるコネクタ側シール部６４の挿入抵抗が大きくならずに済む。
【００２５】
さらに、環状溝２１への挿入過程では、コネクタ側シール部６４の両脚部６６が姿勢矯正部２２の斜面２４を摺動することによって割溝６５が押し広げられるため、シール部材６０が正規の挿入姿勢に確実に至らしめられる。
【００２６】
＜他の実施例＞
以下、他の実施例を簡単に説明する。
（１）シール部材は、ハウジングに被せ付けられるブーツ状のグロメットであってもよい。この場合、グロメットの開口端部に、コネクタ側シール部及びパネル側シール部が設けられるとよい。
（２）姿勢矯正部は、環状溝の奥底面に全周に亘って連続して設けられる構造であってもよい。
（３）姿勢矯正部は、環状溝の奥底面に周方向に間隔をあけて複数設けられる構造であってもよい。
（４）シール部材のコネクタ側シール部は、環状溝への挿入時に環状溝の周面に当接しない構成であってもよい。
【符号の説明】
【００２７】
１０…コネクタ本体
２１…環状溝
２２…姿勢矯正部
２４…斜面
２５…環状溝の周面
６０…シール部材
６４…コネクタ側シール部
６５…割溝
６６…脚部
９０…パネル
９１…取付孔
【図１】
2016062672.tif 000003
【図２】
2016062672.tif 000004
【図３】
2016062672.tif 000005
【図４】
2016062672.tif 000006
【図５】
2016062672.tif 000007
【図６】
2016062672.tif 000008
【図７】
2016062672.tif 000009
【図８】
2016062672.tif 000010